(57)【特許請求の範囲】
【請求項１】
複数のオブジェクトを表示する表示部と、
該表示部に表示されたオブジェクトに対応する位置の接触を検出する接触検出部と、
該接触検出部への接触による押圧荷重を検出する荷重検出部と、
前記接触検出部により前記表示部に表示されたオブジェクトに対応する位置の接触が検出され、前記荷重検出部により検出される押圧荷重が入力を受け付ける荷重基準を満たすと、当該オブジェクトに関連付けられた処理を実行する制御部と、を備え、
前記制御部は、前記複数のオブジェクトのうち、一のオブジェクトに関連付けられた処理が所定の回数行われた場合、当該一のオブジェクトと異なる他のオブジェクトの入力を受け付ける荷重基準が、当該一のオブジェクトからの距離に応じて、当該一のオブジェクトの入力を受け付ける荷重基準より除々に低くなるように制御する、ことを特徴とする携帯電子機器。
【請求項２】
接触による入力を受け付ける携帯電子機器であって、
一または複数のオブジェクトからなるオブジェクト群を複数表示する表示部と、
該表示部に表示されたオブジェクト群に属するオブジェクトに対応する位置の接触を検出する接触検出部と、
該接触検出部への接触による押圧荷重を検出する荷重検出部と、
前記接触検出部により前記表示部に表示されたオブジェクト群に属するオブジェクトに対応する位置の接触が検出され、前記荷重検出部により検出される押圧荷重が入力を受け付ける荷重基準を満たすと、当該オブジェクトに関連付けられた処理を実行する制御部と、を備え、
前記制御部は、前記複数のオブジェクト群のうち、一のオブジェクト群に属するオブジェクトに関連付けられた処理が所定の回数行われた場合、当該オブジェクトの属する前記一のオブジェクト群と異なる他のオブジェクト群に属するオブジェクトの入力を受け付ける荷重基準が、当該一のオブジェクト群からの距離に応じて、前記一のオブジェクトの入力を受け付ける荷重基準より徐々に低くなるように制御する、ことを特徴とする携帯電子機器。
【発明の詳細な説明】
【技術分野】
【０００１】
本発明は、接触による入力を受け付け可能な携帯電子機器に関するものである。
【背景技術】
【０００２】
従来の携帯電子機器として、例えば、液晶モニタの上面に、タッチ位置および押圧力が検出可能なタッチパネルを設け、タッチパネルへのタッチ位置および押圧の強さに応じてカメラ操作系に対して異なる指示を与えるようにしたデジタルカメラが提案されている（例えば、特許文献１参照）。また、近年では、機器本体の一面のほぼ全域を表示画面およびタッチパネルとした携帯電話機やスマートフォンも種々提案されている。
【先行技術文献】
【特許文献】
【０００３】
【特許文献１】特開平１１−３５５６１７号公報
【発明の概要】
【発明が解決しようとする課題】
【０００４】
ところで、タッチパネルによる入力の場合は、接触による押圧の強さに応じて指示を与えることができる。この場合、例えば、ある一定以上の押圧が加えられないと、入力を受け付けられないようにすれば、単に誤って触れただけで入力が受け付けられてしまうという誤作動を防ぐことができる。しかし、その一方では、ユーザは、入力のたびにタッチパネルに一定以上の押圧を加える必要がある。そのため、押圧を加える場合は、単なるタッチ操作の場合よりも押圧によって携帯電子機器が手から落下しないように、機器を確実に把持する必要がある。
【０００５】
しかしながら、携帯電子機器は、通常、ユーザによる把持状態において、把持している手からはみ出した大きさを有している。そのため、機器本体の一表面のほぼ全域を表示画面およびタッチパネルとした携帯電子機器においては、ユーザが把持している場所に対応するエリアを押圧する場合は特に問題ないが、ユーザが把持していない場所に対応したエリアを押圧する場合は、押圧によって機器が動いてしまうことがある。その結果、押圧が適当に加えられずに、入力が受け付けられなかったり、あるいは機器を落下させてしまったりすることが生じるおそれがある。
【０００６】
したがって、かかる点に鑑みてなされた本発明の目的は、押圧による入力操作を確実に行うことができるとともに、入力操作の際の機器の落下も有効に防止できる携帯電子機器を提供することにある。
【課題を解決するための手段】
【０００７】
上記目的を達成する第１の観点に係る携帯電子機器の発明は、
複数のオブジェクトを表示する表示部と、
該表示部に表示されたオブジェクトに対応する位置の接触を検出する接触検出部と、
該接触検出部への接触による押圧荷重を検出する荷重検出部と、
前記接触検出部により前記表示部に表示されたオブジェクトに対応する位置の接触が検出され、前記荷重検出部により検出される押圧荷重が入力を受け付ける荷重基準を満たすと、当該オブジェクトに関連付けられた処理を実行する制御部と、を備え、
前記制御部は、前記複数のオブジェクトのうち、一のオブジェクトに関連付けられた処理が所定の回数行われた場合、当該一のオブジェクトと異なる他のオブジェクトの入力を受け付ける荷重基準が、当該一のオブジェクトからの距離に応じて、当該一のオブジェクトの入力を受け付ける荷重基準より除々に低くなるように制御する、ことを特徴とするものである。
【０００８】
さらに、上記目的を達成する第２の観点に係る携帯電子機器の発明は、
接触による入力を受け付ける携帯電子機器であって、
一または複数のオブジェクトからなるオブジェクト群を複数表示する表示部と、
該表示部に表示されたオブジェクト群に属するオブジェクトに対応する位置の接触を検出する接触検出部と、
該接触検出部への接触による押圧荷重を検出する荷重検出部と、
前記接触検出部により前記表示部に表示されたオブジェクト群に属するオブジェクトに対応する位置の接触が検出され、前記荷重検出部により検出される押圧荷重が入力を受け付ける荷重基準を満たすと、当該オブジェクトに関連付けられた処理を実行する制御部と、を備え、
前記制御部は、前記複数のオブジェクト群のうち、一のオブジェクト群に属するオブジェクトに関連付けられた処理が所定の回数行われた場合、当該オブジェクトの属する前記一のオブジェクト群と異なる他のオブジェクト群に属するオブジェクトの入力を受け付ける荷重基準が、当該一のオブジェクト群からの距離に応じて、前記一のオブジェクトの入力を受け付ける荷重基準より徐々に低くなるように制御する、ことを特徴とするものである。
【発明の効果】
【００１１】
本発明に係る携帯電子機器によれば、押圧による入力操作を確実に行うことができるとともに、入力操作の際の機器の落下も有効に防止することができる。
【図面の簡単な説明】
【００１２】
【図１】本発明の一実施の形態に係る携帯電子機器の要部の構成を示す機能ブロック図である。
【図２】図１の携帯電子機器の一例の平面図である。
【図３】図１の携帯電子機器の一動作例を説明するフローチャートである。
【発明を実施するための形態】
【００１３】
以下、本発明の実施の形態について、図を参照して説明する。なお、以下に例示する実施の形態では、荷重基準を荷重閾値として説明する。
【００１４】
図１は、本発明の一実施の形態に係る携帯電子機器の要部の構成を示す機能ブロック図である。図１に示す携帯電子機器１は、制御部１０、接触検出部１１、荷重検出部１２、表示部１３、および、記憶部１４を備える。
【００１５】
接触検出部１１は、例えば表示部１３の表示面上に配置されたタッチパネルを備え、表示部１３に表示されたオブジェクトに対応する位置の接触を検出する。接触検出部１１で検出される接触位置の情報は、制御部１０へ出力される。なお、タッチパネルは、抵抗膜方式、静電容量式、光学式等の公知のものが使用可能である。
【００１６】
荷重検出部１２は、接触検出部１１が押圧された際の押圧荷重を検出して、検出した押圧荷重を制御部１０へ出力する。荷重検出部１２は、公知の圧力検出素子や荷重検出素子で構成すればよく、例えば圧電素子などによって構成される。
【００１７】
表示部１３は、実行されるアプリケーションに従って複数のオブジェクトを表示するとともに、入力操作に応じてキャラクタを表示する。
【００１８】
記憶部１４は、荷重基準を設定するための荷重閾値を記憶するメモリ、制御部１０の作業用メモリ、プログラム格納メモリなど、当該携帯電子機器１の動作に必要なメモリを便宜上１つの記憶部として表示したものである。この記憶部１４には、表示部１３に表示されるオブジェクトあるいはオブジェクト群に設定される荷重閾値が記憶される。
【００１９】
制御部１０は、携帯電子機器１の全体の動作を制御する。そして、制御部１０は、接触検出部１１からの入力情報および荷重検出部１２から入力される押圧荷重に基づいて処理を実行して、その結果を表示部１３に表示する。
【００２０】
図２は、図１に示した機能ブロックを内蔵する携帯電子機器１の一例の平面図である。この携帯電子機器１は、表面の外形が長方形状となっており、その表面の外枠部１ａを除くほぼ全域が図１の表示部１３の画面１３ａとなっている。そして、画面１３ａ上にタッチパネルからなる透明な接触検出部１１が配置されている。
【００２１】
このような携帯電子機器１において、例えば、メモ帳やメール入力画面等の文字入力アプリケーションが起動されると、画面１３ａには、例えば、図２に示されているように複数のオブジェクトが表示される。図２は、画面１３ａの下半分の表示エリアに文字入力を受け付けるテンキーのオブジェクト群Ｇ１が表示され、画面１３ａの中央から上の１／４の表示エリアに移動キーや決定キーのオブジェクト群Ｇ２が表示され、画面１３ａの上から下の１／４の表示エリアに再変換キーやメニューキー等のオブジェクト群Ｇ３が表示されている例を示している。なお、画面１３ａの下半分のオブジェクト群Ｇ１は、テンキーに代えてＱＷＥＲＴＹキー等からなる場合もある。
【００２２】
つまり、文字入力アプリケーションでは、文字入力の際に頻繁に操作されるテンキーのオブジェクト群Ｇ１を画面１３ａの上側の表示エリアに表示すると、文字入力の際にユーザ自身の手で画面１３ａが隠されて、文字入力がしづらくなってしまう。そのため、操作頻度の高いオブジェクト群Ｇ１は、画面１３ａの下側の表示エリアに表示し、オブジェクト群Ｇ１よりも操作頻度の低い移動キーや決定キーのオブジェクト群Ｇ２は、画面１３ａの中央から上の１／４の表示エリアに表示し、オブジェクト群Ｇ２よりもさらに操作頻度の低い再変換キーやメニューキー等のオブジェクト群Ｇ３は、画面１３ａの上から下の１／４の表示エリアに表示される。そして、オブジェクト群Ｇ２とオブジェクト群Ｇ３との間の表示エリアに文字入力結果が表示される。
【００２３】
この場合、ユーザは、一般に、操作頻度の高いオブジェクト群Ｇ１が表示されている携帯電子機器１の下半分に把持中心が位置するように、携帯電子機器１を把持することになる。そのため、ユーザが把持している部分に対応するオブジェクト群Ｇ１を押圧操作する場合は特に問題ないが、ユーザが把持していない部分に対応するオブジェクト群Ｇ２やＧ３を押圧操作する場合は、押圧によって携帯電子機器１が動いてしまうことがある。その結果、接触による押圧入力を受け付ける荷重閾値を、全てのオブジェクト群において一定に設定すると、携帯電子機器１が不安定となって押圧が適当に加えられず、入力が受け付けられなかったり、携帯電子機器１を落下させてしまったりすることが生じるおそれがある。
【００２４】
その対策として、本実施の形態に係る携帯電子機器１おいては、実行されるアプリケーションにおけるオブジェクト群が複数ある場合、オブジェクトの操作頻度に基づいて、つまり、一のオブジェクト群に属するオブジェクトに関連付けられた処理の実行回数に基づいて、オブジェクト群の荷重閾値を設定する。そのため、図１の記憶部１４には、当該機器１において設定可能な複数の荷重閾値を記憶する。ここでは、説明の便宜上、荷重閾値Ａ、荷重閾値Ｂおよび荷重閾値Ｃ（Ａ＞Ｂ＞Ｃ）の３つの荷重閾値が記憶されているものとする。ここで、荷重閾値Ａは、画面１３ａに表示される全てのオブジェクトに対して予め設定されている基準荷重閾値である。
【００２５】
そして、制御部１０は、オブジェクトの操作頻度に基づいて、操作頻度の高いオブジェクト群に属するオブジェクトに対する荷重閾値は基準荷重閾値Ａのままとして、他のオブジェクト群に属するオブジェクトに対する荷重閾値を荷重閾値Ｂまたは荷重閾値Ｃに設定を変更する。以下、図１を参照しながら、本実施の形態に係る携帯電子機器１の動作を説明する。
【００２６】
図３は、本実施の形態の一動作例を示すフローチャートである。先ず、制御部１０は、ユーザ操作に基づいて、例えば文字入力アプリケーションを起動する（ステップＳ１０１）。そして、制御部１０は、表示部１３に表示されている全てのオブジェクト群に属するオブジェクトに対する荷重閾値を基準荷重閾値Ａに維持した状態で、表示部１３に表示されたオブジェクトに対応する位置の接触が検出され、荷重検出部１１により検出される押圧荷重が荷重閾値Ａを満たすと、当該オブジェクトに関連付けられた処理を実行する。
【００２７】
また、制御部１０は、オブジェクト群毎に、オブジェクトに関連付けられた処理を実行すると、その実行回数を計数する（ステップＳ１０２）。そして、実行回数が最初に所定値に達したオブジェクト群を検知すると（ステップＳ１０３）、当該オブジェクト群以外のオブジェクト群に属するオブジェクトに対する荷重閾値を、オブジェクト群単位で基準荷重閾値Ａよりも小さい値に設定する（ステップＳ１０４）。なお、オブジェクト群における処理の実行回数の所定値は、アプリケーションに応じて、２以上の任意の値に設定される。
【００２８】
ここで、荷重閾値は、例えば、図２に示したようなオブジェクト群Ｇ１，Ｇ２，Ｇ３が表示部１３に表示されている場合で、オブジェクト群Ｇ１における実行回数が最初に所定値に達した場合は、当該オブジェクト群Ｇ１に属するオブジェクトに対する荷重閾値は基準荷重閾値Ａのままとする。そして、オブジェクト群Ｇ２，Ｇ３については、オブジェクト群Ｇ１から離れるのに従って荷重閾値が小さくなるように、オブジェクト群Ｇ１に比較的近いオブジェクト群Ｇ２に属するオブジェクトに対する荷重閾値は、荷重閾値Ｂに設定変更する。また、オブジェクト群Ｇ１から最も離れたオブジェクト群Ｇ３に属するオブジェクトに対する荷重閾値は、荷重閾値Ｂよりも小さい荷重閾値Ｃに設定変更する。
【００２９】
なお、図２において、オブジェクト群Ｇ２における実行回数が最初に所定値に達した場合は、当該オブジェクト群Ｇ２に属するオブジェクトに対する荷重閾値は基準荷重閾値Ａのままで、当該オブジェクト群Ｇ２に比較的近いオブジェクト群Ｇ１に属するオブジェクトに対する荷重閾値を荷重閾値Ｂに設定変更する。また、オブジェクト群Ｇ２から最も離れたオブジェクト群Ｇ３に属するオブジェクトに対する荷重閾値は、荷重閾値Ｃに設定変更する。
【００３０】
その後、制御部１０は、オブジェクト群毎に、当該オブジェクト群に属するオブジェクトに対応する位置の接触が検出され、荷重検出部１１により検出される押圧荷重が当該オブジェクト群に対応する荷重閾値を満たすと、当該オブジェクトに関連付けられた処理を実行する。そして、制御部１０は、ステップＳ１０５において、文字入力アプリケーションの終了操作が行われたのを検知すると、画面１３ａの全体の荷重閾値を基準荷重閾値Ａに設定して（ステップＳ１０６）、文字入力アプリケーションを終了する。
【００３１】
このように、本実施の形態によると、表示部１３に表示されたオブジェクト群のうち、同一オブジェクト群に属するオブジェクトに関連付けられた処理の実行回数が所定値を超えると、つまり、操作頻度の高いオブジェクト群が検知されると、当該オブジェクト群以外のオブジェクト群に属するオブジェクトに対する荷重閾値が、初期の基準荷重閾値Ａよりも小さい値に設定される。ここで、携帯電子機器１は、上述したように、通常、操作頻度の高いオブジェクトが属するオブジェクト群に対応する部分が、ユーザによって把持される傾向にある。
【００３２】
したがって、本実施の形態によれば、操作頻度の高いオブジェクト群を検知することで、ユーザによる把持部分に対応するオブジェクト群が自動的に検知されたことになる。そして、把持部分に対応するオブジェクト群に属するオブジェクトに対する基準荷重閾値Ａに対して、当該オブジェクト群以外のオブジェクト群に属するオブジェクトに対する荷重閾値が小さく設定される。これにより、押圧による入力操作を確実に行うことができるとともに、入力操作の際の携帯電子機器１の落下が有効に防止される。しかも、本実施の形態では、操作頻度の高いオブジェクト群以外のオブジェクト群に属するオブジェクトに対する荷重閾値が、操作頻度の高いオブジェクト群からの距離に応じて小さく設定されるので、その効果はより顕著となる。
【００３３】
なお、本発明は、上記実施の形態に限定されるものではなく、幾多の変形または変更が可能である。例えば、上記実施の形態において、オブジェクト群Ｇ１が操作頻度の高いオブジェクト群として検知された場合、他のオブジェクト群Ｇ２，Ｇ３に属する全てのオブジェクトの荷重閾値を、オブジェクト群Ｇ１からの距離に関係なく、基準荷重閾値Ａよりも小さい所定の荷重閾値、例えば荷重閾値Ｂに一律に設定してもよい。また、操作頻度の高いオブジェクト群以外の他のオブジェクト群に属するオブジェクトの荷重閾値は、操作頻度の高いオブジェクト群が検知された時点での、上記他のオブジェクト群に対応する処理の実行回数に基づいて、実行回数が多いほど、基準荷重閾値との差が小さい荷重基準を設定するようにしてもよい。また、本発明は、３つのオブジェクト群が表示される場合に限らず、２以上の複数のオブジェクト群が表示される場合に有効に適用することが可能である。
【００３４】
さらに、本発明は、上記実施の形態のように、オブジェクト群の群単位で荷重閾値を設定する場合に限らず、オブジェクト単位で荷重閾値を設定するようにしてもよい。この場合、上述したと同様に、操作頻度の高いオブジェクトに対する荷重閾値に対して、他のオブジェクトに対する荷重閾値を、操作頻度の高いオブジェクトからの距離に応じて小さい値に設定してもよいし、操作頻度の高いオブジェクトに対する荷重閾値よりも小さい所定の荷重閾値に一律に設定してもよい。
【００３５】
また、上記実施の形態の説明における表示部１３および接触検出部１１は、表示部１３と接触検出部１１を構成するタッチパネルとの両機能を共通の基板に持たせる等により、一体化した装置によって構成されるようにしてもよい。このように表示部とタッチパネルとの両機能を一体化した装置の構成の一例としては、液晶パネルが有するマトリクス状配列の画素電極群に、フォトダイオード等の複数の光電変換素子を規則的に混在させたものを挙げることができる。この装置は、液晶パネル構造によって画像を表示する一方で、パネル表面の所望位置をタッチ入力するペンの先端で液晶表示用のバックライトの光を反射し、この反射光を周辺の光電変換素子が受光することによって、タッチ位置を検出することができる。
【００３６】
また、接触検出部１１は、接触を検出する上で、押下物が接触検出部１１を物理的に押下することは必須ではない。例えば、接触検出部１１が光学式である場合、接触検出部１１は接触検出部１１上の赤外線が指やスタイラスペン等の押下物で遮られた位置を検出するため、押下物が接触検出部１１を押下することは不要である。
【００３７】
また、本発明では、荷重検出部により検出される押圧荷重が、入力として認識されるための荷重基準を満たすと、表示部上の押圧されたオブジェクトに関連付けられた処理を実行する。ここで、上記荷重検出部により検出される押圧荷重が入力として認識されるための荷重基準を満たすとは、荷重検出部により検出される押圧荷重が入力として認識される所定値に達した際であってもよいし、荷重検出部により検出される押圧荷重が入力として認識される所定値を超えた際でもよいし、荷重検出部により入力として認識される所定値が検出された際でもよい。
【符号の説明】
【００３８】
１  携帯電子機器
１０  制御部
１１  接触検出部
１２  荷重検出部
１３  表示部
１３ａ  画面
１４  記憶部
Ｇ１，Ｇ２，Ｇ３  オブジェクト群
【図１】
0005819114.tif 000002
【図２】
0005819114.tif 000003
【図３】
0005819114.tif 000004